(57)【要約】【課題】磁気回路を形成する２つの磁気ヨークを組み立てる場合の作業性がよいマグネトロンを提供すること。【解決手段】マグネトロン本体および永久磁石、ラジエターを囲む磁気回路を形成し、かつ、互いに機械的に結合された第１磁気ヨーク１７および第２磁気ヨーク１８とを具備したマグネトロンにおいて、第１磁気ヨーク１７にスリット２５を設け、第２磁気ヨーク１８に表面が凹凸の突出部２９を設け、この突出部２９をスリット２５に嵌め込み、第１磁気ヨーク１７と第２磁気ヨーク１８とを機械的に結合している。【選択図】図２
2006172909.tif 000002
【特許請求の範囲】
【請求項１】
高周波信号を発生するマグネトロン本体と、マグネトロン本体の作用空間に磁界を付与する永久磁石と、前記マグネトロン本体の周囲に配置されたラジエターと、前記マグネトロン本体および前記永久磁石、前記ラジエターを囲む磁気回路を形成し、かつ、互いに機械的に結合された第１磁気ヨークおよび第２磁気ヨークとを具備したマグネトロンにおいて、前記第１磁気ヨークおよび前記第２磁気ヨークの一方にスリットを設け、前記第１磁気ヨークおよび前記第２磁気ヨークの他方に表面が凹凸の突出部を設け、この突出部を前記スリットに嵌め込み、前記第１磁気ヨークと前記第２磁気ヨークとを機械的に結合したことを特徴とするマグネトロン。
【請求項２】
突出部表面の凹凸が鋸歯状に形成されている請求項１記載のマグネトロン。
【請求項３】
スリットが、板部の端から直角に折れ曲がった第１折曲部に形成され、かつ、第１折曲部に連続して前記板部側に折れ曲がった第２折曲部が設けられ、突出部表面の凹凸が前記第１折曲部および前記第２折曲部に挟まれて固定されている請求項１記載のマグネトロン。
【請求項４】
突出部がマグネトロンの管軸方向に伸びている請求項１記載のマグネトロン。
【発明の詳細な説明】
【技術分野】
【０００１】
本発明は、磁気回路を形成する２つの磁気ヨークの組み立てが容易なマグネトロンに関する。
【背景技術】
【０００２】
マグネトロンは高周波信号を発生する電子管で、食品の調理や解凍を行う電子レンジなどに使用されている。マグネトロンは、高周波信号を発生するマグネトロン本体、および、マグネトロン本体の周囲に位置する複数の冷却フィンからなるラジエター、マグネトロン本体の上下に配置される一対の永久磁石などから構成されている。また、マグネトロン本体やラジエター、永久磁石などを囲んで、一対の永久磁石間に磁気回路を形成する磁気ヨークが設けられている。磁気ヨークは、通常、平板状の第１磁気ヨークとコ字状の第２磁気ヨークとを機械的に結合して構成されている。
【０００３】
ここで、従来のマグネトロンについて、その磁気ヨーク部分の構造を図４を参照して説明する。図４（ａ）において、符号４１は平板状の第１磁気ヨークで、第１磁気ヨーク４１は、上板部４２や、上板部４２の両端に設けられた折曲部４３などから構成されている。上板部４２の中央には、高周波信号を取り出すアンテナ部分を通すための透孔４４が設けられている。第１磁気ヨーク４１の折曲部４３には、それぞれ複数の切欠部４３ａやねじ穴４３ｂが設けられている。
【０００４】
符号４５はコ字状の第２磁気ヨークで、第２磁気ヨーク４５は、底板部４６や底板部４６の両側に位置する側壁部４７などから構成されている。底板部４６の中央には、陰極ステム部分が通る透孔４８が設けられている。側壁部４７の端部には、それぞれ内側に突出する複数の突出部４７ａやねじ穴４７ｂが設けられている。
【０００５】
そして、図４（ｂ）に示すように、第１磁気ヨーク４１の切欠部４３ａに第２磁気ヨーク４５の突出部４７ａを嵌め込み、かしめによって両者を結合している。たとえば、第１磁気ヨーク４１の切欠部４３ａに隣接するかしめ部５１を変形し、第２磁気ヨーク４５の突出部４７ａに強く接触させ、機械的に結合している。このようにして、第１磁気ヨーク４１および第２磁気ヨーク４５が筒状をした磁気回路に組み立てられる。
【０００６】
また、図４（ｃ）に示すように、第１磁気ヨーク４１のねじ穴４３ｂと第２磁気ヨーク４５のねじ穴４７ｂにねじ５２を通し、ねじ止めされる。
【発明の開示】
【発明が解決しようとする課題】
【０００７】
従来のマグネトロンの場合、第１磁気ヨーク４１と第２磁気ヨーク４５とをかしめによって機械的に結合している。かしめは大きな力を必要とし、人の力では作業が困難なため、通常、かしめ用の機械が用いられる。この場合、かしめの位置精度が低下するなどして、十分な結合強度が得られず、かしめ部分が外れることがある。
【０００８】
このような問題をなくすために、たとえば、第１磁気ヨーク４１と第２磁気ヨーク４５がねじ止めされる。しかし、ねじ止めする方法は作業性が悪く、大量生産に支障を生じ、また、部品材料コストも高くなる。
【０００９】
本発明は、上記した欠点を解決するもので、磁気回路を形成する２つの磁気ヨークを組み立てる場合の作業性がよいマグネトロンを提供することを目的とする。
【課題を解決するための手段】
【００１０】
本発明は、高周波信号を発生するマグネトロン本体と、マグネトロン本体の作用空間に磁界を付与する永久磁石と、前記マグネトロン本体の周囲に配置されたラジエターと、前記マグネトロン本体および前記永久磁石、前記ラジエターを囲む磁気回路を形成し、かつ、互いに機械的に結合された第１磁気ヨークおよび第２磁気ヨークとを具備したマグネトロンにおいて、前記第１磁気ヨークおよび前記第２磁気ヨークの一方にスリットを設け、前記第１磁気ヨークおよび前記第２磁気ヨークの他方に表面が凹凸の突出部を設け、この突出部を前記スリットに嵌め込み、前記第１磁気ヨークと前記第２磁気ヨークとを機械的に結合したことを特徴としている。
【発明の効果】
【００１１】
本発明によれば、磁気回路を形成する２つの磁気ヨークを組み立てる場合の作業性のよいマグネトロンを実現できる。
【発明を実施するための最良の形態】
【００１２】
本発明の実施の形態について図１を参照して説明する。図１の線Ｍは管軸を示している。符号１１は、高周波信号を発生するマグネトロン本体で、マグネトロン本体１１の上方に、高周波信号を外部に取り出す出力アンテナ１２が突出している。マグネトロン本体１１の下方には陰極ステム１３が突出している。マグネトロン本体１１の周囲には複数の冷却フィンからなるラジエター１４が圧入されている。マグネトロン本体１１を挟んだその上下に、マグネトロン本体１１内部の作用空間に磁界を付与する環状の永久磁石１５、１６が配置されている。マグネトロン本体１１上端の永久磁石１５の外側に、全体がほぼ平板状の第１磁気ヨーク１７が設置されている。また、マグネトロン本体１１下端の永久磁石１６やラジエター１４などを包囲して、断面がコ字状の第２磁気ヨーク１８が設置されている。第１磁気ヨーク１７と第２磁気ヨーク１８は、互いの両端が機械的に結合され、マグネトロン本体１１の上下に位置する永久磁石１５、１６間に磁気回路を形成している。
【００１３】
陰極ステム１３の下方には、フィルター回路を形成するチョークコイルＬが配置され、陰極ステム１３やチョークコイルＬを包囲してシールドケース１９が設けられている。チョークコイルＬには、チヨークコイルＬと共にフィルター回路を形成するコンデンサーＣが接続され、コンデンサーＣはシールドケース１９を貫通する形で取り付けられている。
【００１４】
ここで、上記した構成のマグネトロンにおいて、第１磁気ヨーク１７と第２磁気ヨーク１８との結合部分の構造について図２の斜視図を参照して説明する。図２は、第１磁気ヨーク１７と第２磁気ヨーク１８が機械的に結合する前の状態を示している。
【００１５】
第１磁気ヨーク１７は、上板部２１や、上板部２１の両端から直角に折り曲げられた第１折曲部２２、第１折曲部２２に連続してその端から上板部２１方向に斜めに折り曲げられた第２折曲部２３などから構成されている。上板部２１の中央には、出力アンテナ１２部分が通る透孔２４が形成されている。そして、第１折曲部２２の２箇所にスリット２５が形成されている。この場合、図の左側に位置する他方の第１折曲部２２にもスリット２５が２箇所に形成されているが、図面の関係で示されていない。
【００１６】
第２磁気ヨーク１８は、底板部２６や、この底板部２６の両端からほぼ直角に折り曲げられた側壁部２７などから構成され、底板部２６の中央に、陰極ステム１３部分が通る透孔２８が形成されている。そして、それぞれの側壁部２７の端部には、内側に突出する突出部２９が２つずつ形成され、突出部２９の表面には、複数組の凹凸２９ａが延長方向に形成されている。複数組の凹凸２９ａは、たとえば延長方向に垂直な垂直面と、延長方向に傾斜しかつ先端側が低い傾斜面とが順に繰り返す鋸歯状に形成されている。
【００１７】
第２磁気ヨーク１８の突出部２９が設けられる位置は、第１磁気ヨーク１７の第１折曲部２０にスリット２５が設けられた位置と対応しており、第２磁気ヨーク１８の突出部２９がそれぞれ対応する位置のスリット２５に挿入される。このとき、第１磁気ヨーク１７の第２折曲部２３は突出部２９によって押し上げられ、たとえば、側壁部２７に一番近い位置の凸部が第１磁気ヨーク１７の第１折曲部２０と第２折曲部２３に挟まれて固定され、第１磁気ヨーク１７と第２磁気ヨーク１８が機械的に結合される。
【００１８】
次に、本発明の他の実施形態について、第１磁気ヨーク１７と第２磁気ヨーク１８との結合部分を抜き出して示した図３の斜視図を参照して説明する。図３では、図２に対応する部分には同一の符号を付し、重複する説明を省略する。
【００１９】
この実施形態では、第１磁気ヨーク１７の上板部２１の両端に、それぞれ垂直方向に突出する突出部３１が２つずつ設けられている。そして、突出部３１の表面、たとえば内側を向いた面に、図２における第２磁気ヨーク１８の突出部２９と同様の凹凸３１ａが形成されている。
【００２０】
一方、第２磁気ヨーク１８は、側壁部２７の端に、それぞれ図２における第１磁気ヨーク１７の第１折曲部２０や第２折曲部２３と同様の第１折曲部３２および第２折曲部３３が形成され、それぞれの第１折曲部３２にはスリット３４が２箇所に形成されている。
【００２１】
この場合も、第１磁気ヨーク１７に設けられた突出部３１の位置と、第２磁気ヨーク１８に設けられたスリット３４の位置とが対応しており、第１磁気ヨーク１７のそれぞれの突出部３１が第２磁気ヨーク１８の対応する位置のスリット３４に挿入され、図２と同様の方法で、第１磁気ヨーク１７と第２磁気ヨーク１８が機械的に結合される。
【００２２】
図３の構成の場合、第１磁気ヨーク１７に設けられた突出部３１がマグネトロンの管軸方向、すなわち、第１磁気ヨークおよび第２磁気ヨークで形成される磁気回路の高さ方向に伸びている。したがって、第２磁気ヨークに固定される突出部３１の凹凸の位置を適宜選択すれば、ヨークの高さを調整できる。
【００２３】
上記の構成によれば、磁気回路を形成する第１磁気ヨークと第２磁気ヨークとを結合する場合、その一方に設けられた突出部を他方に設けられたスリットに挿入するだけでよく、作業性が大幅に向上する。また、特別の機械も必要としないため、コストも低減する。
【図面の簡単な説明】
【００２４】
【図１】本発明の実施形態を説明するための概略の構造図である。
【図２】本発明の実施形態を説明する図で、第１磁気ヨークと第２磁気ヨークとの結合部分を抜き出して示した斜視図である。
【図３】本発明の他の実施形態を説明する図で、第１磁気ヨークと第２磁気ヨークとの結合部分を抜き出して示した斜視図である。
【図４】従来例を説明する図で、第１磁気ヨークと第２磁気ヨークとの結合部分を抜き出して示した斜視図である。
【符号の説明】
【００２５】
１１…マグネトロン本体
１２…出力アンテナ
１３…陰極ステム
１４…ラジエター
１５、１６…永久磁石
１７…第１磁気ヨーク
１８…第２磁気ヨーク
１９…シールドケース
２１…第１磁気ヨークの上板部
２２…第１磁気ヨークの第１折曲部
２３…第１磁気ヨークの第２折曲部
２５…第１磁気ヨークのスリット
２６…第２磁気ヨークの底板部
２７…第２磁気ヨークの側壁部
２９…第２磁気ヨークの突出部
【図１】
2006172909.tif 000003
【図２】
2006172909.tif 000004
【図３】
2006172909.tif 000005
【図４】
2006172909.tif 000006